(57)【特許請求の範囲】
【請求項１】
回線交換フォールバック(CSFB)・ハンドオーバ方法であって、前記方法は、
基地局によって、CSFB表示を受信するステップであって、前記CSFB表示は、回線交換CSサービスを実行するためにユーザ装置がロング・ターム・エボリューション(LTE)セルから2G/3Ｇセルへハンドオーバされることを示し、前記LTEセルをサービスしている前記基地局のサイトが前記2G/3Ｇセルをサービスしている前記基地局の前記サイトと同じである、ステップと、
前記基地局によって、前記CSFB表示を受信した後に、測定制御メッセージを前記ユーザ装置に送信するステップであって、前記測定制御メッセージは、セル信号品質を測定するとともに対応するイベント測定レポートを送信するように前記ユーザ装置に命令するために使用される、ステップと、
前記ユーザ装置から送信された前記イベント測定レポートの受信状態に従って、ブラインドハンドオーバを使用することでCSFBハンドオーバを完了すること、または、測定ベースハンドオーバを使用することでCSFBハンドオーバを完了すること、を前記基地局によって、選択するステップと
を含む方法。
【請求項２】
測定制御メッセージを前記ユーザ装置に前記送信するステップは、
第1の測定制御メッセージおよび第2の測定制御メッセージを前記ユーザ装置に同時に送信するステップであって、前記第1の測定制御メッセージは、カレントLTEセルの信号品質を測定するとともに第1のイベント測定レポートを送信するように前記ユーザ装置に命令するために使用され、前記第2の測定制御メッセージは、前記カレントLTEセルと該カレントLTEセルの2G/3G隣接セルの信号品質を測定するとともに前記第2のイベント測定レポートを送信するように前記ユーザ装置に命令するために使用される、ステップ
を含み、
前記ユーザ装置から送信された前記イベント測定レポートの受信状態に従って、ブラインドハンドオーバを使用することでCSFBハンドオーバを完了すること、または、測定ベースハンドオーバを使用することでCSFBハンドオーバを完了すること、を前記基地局によって、選択するステップは、
前記第1のイベント測定レポートが最初に受信された場合、前記ブラインドハンドオーバを使用することで前記CSFBハンドオーバを完了することを選択し、前記第2のイベント測定レポートが最初に受信された場合、前記測定ベースハンドオーバを使用することで前記CSFBハンドオーバを完了することを選択するステップを含む、請求項1に記載の方法。
【請求項３】
前記測定ベースハンドオーバを使用することで前記CSFBハンドオーバを完了することを前記選択するステップは、
前記第2のイベント測定レポートから、ハンドオーバを実行するために最も良い信号品質の2G/3Gセルを、選択するステップを含む、請求項2に記載の方法。
【請求項４】
測定制御メッセージを前記ユーザ装置に前記送信するステップは、
第1の測定制御メッセージを前記ユーザ装置へ送信するステップであって、前記第1の測定制御メッセージは、カレントLTEセルの信号品質を測定するとともに第1のイベント測定レポートを送信するように前記ユーザ装置に命令するために使用される、ステップ、を含み、
前記ユーザ装置から送信された前記イベント測定レポートの受信状態に従って、ブラインドハンドオーバを使用することでCSFBハンドオーバを完了すること、または、測定ベースハンドオーバを使用することでCSFBハンドオーバを完了すること、を前記基地局によって、選択するステップは、
前記第1のイベント測定レポートが所定時間以内に受信されたか否かを判断するステップと、前記第1のイベント測定レポートが所定時間以内に受信された場合、前記ブラインドハンドオーバを使用することで前記CSFBハンドオーバを完了することを選択するステップと、前記第1のイベント測定レポートが所定時間以内に受信されなかった場合、前記測定ベースハンドオーバを使用することで前記CSFBハンドオーバを完了することを選択するステップと、を含む、請求項1に記載の方法。
【請求項５】
前記CSFBハンドオーバを完了するために、前記測定ベースハンドオーバが選択された場合、前記方法は、さらに、
前記基地局が前記第1のイベント測定レポートを前記所定時間以内に受信しなかったとき、前記基地局によって、前記第2の測定制御メッセージを前記ユーザ装置へ、送信するステップであって、前記第2の測定制御メッセージは、前記カレントLTEセルと該カレントLTEセルの2G/3G隣接セルの信号品質を測定するとともに第2のイベント測定レポートを送信するように前記ユーザ装置に命令するために使用される、ステップと、
前記第2のイベント測定レポートを受信するステップと
を含み、
前記測定ベースハンドオーバを使用することで前記CSFBハンドオーバを完了することを選択するステップは、
前記第2のイベント測定レポートから、ハンドオーバを実行するために最も良い信号品質の2G/3Gセルを、選択するステップを含む、請求項4に記載の方法。
【請求項６】
ブラインドハンドオーバを使用することでCSFBハンドオーバを完了することを前記選択するステップは、
前記カレントLTEセルの予め設定されたブラインドハンドオーバ隣接セルへ前記ユーザ装置をハンドオーバするステップを含む、請求項1から5のいずれか一項に記載の方法。
【請求項７】
回線交換フォールバック(CSFB)装置であって、前記装置は、
CSFB表示を受信するように構成された、第1の受信モジュールであって、前記CSFB表示は、回線交換(CS)サービスを実行するためにユーザ装置がロング・ターム・エボリューション(LTE)セルから2G/3Ｇセルへハンドオーバされることを示し、前記LTEセルをサービスしている基地局のサイトが前記2G/3Ｇセルをサービスしている前記基地局の前記サイトと同じである、第1の受信モジュールと、
前記第1の受信モジュールが前記CSFB表示を受信した後に、測定制御メッセージを前記ユーザ装置に送信する、ように構成された、送信モジュールであって、前記測定制御メッセージは、セル信号品質を測定するとともに対応するイベント測定レポートを送信するように前記ユーザ装置に命令するために使用される、送信モジュールと、
前記ユーザ装置から送信された前記イベント測定レポートを受信するように構成された、第2の受信モジュールと、
前記ユーザ装置から送信された前記イベント測定レポートの受信状態に従って、ブラインドハンドオーバを使用することでCSFBハンドオーバを完了すること、または、測定ベースハンドオーバを使用することでCSFBハンドオーバを完了すること、を選択する、ように構成された、ハンドオーバモジュールと
を備える装置。
【請求項８】
前記送信モジュールは、第1の測定制御メッセージおよび第2の測定制御メッセージを前記ユーザ装置に同時に送信するように構成されており、前記第1の測定制御メッセージは、カレントLTEセルの信号品質を測定するとともに第1のイベント測定レポートを送信するように前記ユーザ装置に命令するために使用され、前記第2の測定制御メッセージは、前記カレントLTEセルと該カレントLTEセルの2G/3G隣接セルの信号品質を測定するとともに前記第2のイベント測定レポートを送信するように前記ユーザ装置に命令するために使用され、
前記ハンドオーバモジュールは、
前記第2の受信モジュールが前記第1のイベント測定レポートを最初に受信したとき、前記ブラインドハンドオーバを使用することで前記CSFBハンドオーバを完了する、ように構成された、第1のハンドオーバユニットと、
前記第2の受信モジュールが前記第2のイベント測定レポートを最初に受信したとき、前記測定ベースハンドオーバを使用することで前記CSFBハンドオーバを完了する、ように構成された、第2のハンドオーバユニットと
を備える、請求項7に記載の装置。
【請求項９】
前記第1のハンドオーバユニットは、前記第2の受信モジュールが前記第1のイベント測定レポートを最初に受信したとき、前記カレントLTEセルの予め設定されたブラインドハンドオーバ隣接セルへ前記ユーザ装置をハンドオーバする、ように構成されている、請求項8に記載の装置。
【請求項１０】
前記第2のハンドオーバユニットは、前記第2の受信モジュールが前記第2のイベント測定レポートを最初に受信したとき、前記第2のイベント測定レポートから、ハンドオーバを実行するために最も良い信号品質の2G/3Gセルを、選択する、ように構成されている、請求項8に記載の装置。
【請求項１１】
前記送信モジュールは、第1の測定制御メッセージを前記ユーザ装置へ送信するように構成されており、前記第1の測定制御メッセージは、カレントLTEセルの信号品質を測定するとともに第1のイベント測定レポートを送信するように前記ユーザ装置に命令するために使用され、
前記ハンドオーバモジュールは、
前記第2の受信モジュールが所定時間以内に前記第1のイベント測定レポートを受信したか否かを判断するように構成された判断ユニットと、
前記第2の受信モジュールが所定時間以内に前記第1のイベント測定レポートを受信した、と前記判断ユニットが判断したとき、前記ブラインドハンドオーバを使用することで前記CSFBハンドオーバを完了することを選択する、ように構成された、第3のハンドオーバユニットと、
前記第2の受信モジュールが所定時間以内に前記第1のイベント測定レポートを受信しなかった、と前記判断ユニットが判断したとき、前記測定ベースハンドオーバを使用することで前記CSFBハンドオーバを完了することを選択する、ように構成された、第4のハンドオーバユニットと
を備える、請求項7に記載の装置。
【請求項１２】
前記第3のハンドオーバユニットは、前記カレントLTEセルの予め設定されたブラインドハンドオーバ隣接セルへ前記ユーザ装置をハンドオーバするように構成されている、請求項11に記載の装置。
【請求項１３】
前記送信モジュールは、前記第2の受信モジュールが所定時間以内に前記第1のイベント測定レポートを受信しなかった、と前記判断ユニットが判断したとき、第2の測定制御メッセージを前記ユーザ装置へ送信するように、さらに、構成されており、前記第2の測定制御メッセージは、前記カレントLTEセルと該カレントLTEセルの2G/3G隣接セルの信号品質を測定するとともに第2のイベント測定レポートを送信するように前記ユーザ装置に命令するために使用され、
前記第4のハンドオーバユニットは、ハンドオーバを実行するために最も良い信号品質の2G/3Gセルを、前記第2のイベント測定レポートから選択するように構成されている、請求項11に記載の装置。
【請求項１４】
請求項1から6のいずれか一項に記載の方法をコンピュータに実行させるプログラムが記録されたコンピュータ読取可能記憶媒体。
【発明の詳細な説明】
【技術分野】
【０００１】
本発明は通信技術の分野に関し、より詳細には、CSFB(Circuit Switched fallback、回線交換フォールバック)ハンドオーバ方法および装置、並びに基地局に関する。
【背景技術】
【０００２】
CSFBは、CS domain(Circuit Switched Domain、回線交換ドメイン)セルをサポートするためのLTE(Long Term Evolution、ロング・ターム・エボリューション)システムのカバー領域における他のRAN(Radio Access Network、無線アクセスネットワーク)を使用する技術である。CSFBプロセスは、全てのCSサービスを可能にし、例えば、比較的に短いバンド幅のアクセスネットワークへ、例えば、GSM（登録商標）(Global System of Mobile communication、グローバル・システム・オブ・モバイル・コミュニケーションズ)またはUMTS (Universal Mobile Telecommunications System、ユニバーサル・モバイル・テレコミュニケーション・システム)へ、ハンドオーバされる、ユーザ装置の、ボイスサービスなど、を可能にし、その結果、オペレータのバンド幅リソースを節約する。
【０００３】
従来のCSFBハンドオーバ方法では、一般に、対応するGSM/UMTSが各LTEセルについて予め設定されている。UE(User Equipment、ユーザ装置)がボイスサービスの使用を必要としているとき、前記UEは、該UEが現在位置するLTEセルに対応する GSM/UMTSセルにハンドオーバされる。ボイスサービスのセットアップ遅延を低減させるために、従来のCSFBハンドオーバ方法は、一般に、ブラインドハンドオーバを使用する。すなわち、前記UEがボイスサービスの使用を必要とするとき、前記UEは、前記カレントLTEセルの予め設定されたGSM/UMTSブラインドハンドオーバ隣接セルへ直接にハンドオーバされる。
【０００４】
本発明の実用化において、本願発明者は、従来技術には少なくとも下記の問題点があることを見出している。
【０００５】
従来のCSFBハンドオーバ方法は、前記LTEセルと前記GSM/UMTSセルとの間の重複したカバー領域に適用可能であるが、前記LTEセルと前記GSM/UMTSセルとの重複していないカバー領域では、CSFBが失敗することがあり、その結果、前記UEはハンドオーバに失敗して前記CSサービスを使用できない。
【発明の概要】
【課題を解決するための手段】
【０００６】
前記従来技術の問題点を解決するために、本発明の実施形態は、CSFBハンドオーバ方法および装置、並びにシステムを提供する。技術的解決手段は、以下の通りである。
【０００７】
一態様では、本発明の実施形態は、CSFBハンドオーバ方法を提供し、前記方法は、
eNB (eNodeB、基地局)によって、CSFB表示を受信するステップであって、前記CSFB表示は、CSサービスを実行するためにUEがLTEセルから2G/3Ｇセルへハンドオーバされることを示し、前記LTEセルおよび前記2G/3Ｇセルが同じサイト上に構築されている、ステップと、
前記eNBによって、前記CSFB表示を受信した後に、測定制御メッセージを前記UEに送信するステップであって、前記測定制御メッセージは、セル信号品質を測定するとともに対応するイベント測定レポートを送信するように前記UEに命令するために使用される、ステップと、
前記UEによって送信された前記イベント測定レポートの受信状態に従って、  ブラインドハンドオーバを使用することでCSFBハンドオーバを完了すること、または、測定ベースハンドオーバを使用することでCSFBハンドオーバを完了すること、を前記eNBによって、選択するステップと
を含む。
【０００８】
望ましくは、測定制御メッセージを前記UEへ前記送信するステップは、
第1の測定制御メッセージおよび第2の測定制御メッセージを前記UEに同時に送信するステップであって、前記第1の測定制御メッセージは、カレントLTEセルの信号品質を測定するとともに第1のイベント測定レポートを送信するように前記UEに命令するために使用され、前記第2の測定制御メッセージは、前記カレントLTEセルと該カレントLTEセルの2G/3G隣接セルの信号品質を測定するとともに前記第2のイベント測定レポートを送信するように前記UEに命令するために使用されるステップ
を含み、
前記UEによって送信された前記イベント測定レポートの受信状態に従って、ブラインドハンドオーバを使用することでCSFBハンドオーバを完了すること、または、測定ベースハンドオーバを使用することでCSFBハンドオーバを完了すること、を前記eNBによって、選択するステップは、
第1のイベント測定レポートおよび第2のイベント測定レポートを受信するステップと、
前記第1のイベント測定レポートが最初に受信された場合、前記ブラインドハンドオーバを使用することで前記CSFBハンドオーバを完了することを選択し、前記第2のイベント測定レポートが最初に受信された場合、前記測定ベースハンドオーバを使用することで前記CSFBハンドオーバを完了することを選択するステップと
を含む。
【０００９】
前記測定ベースハンドオーバを使用することで前記CSFBハンドオーバを完了することを前記選択するステップは、
前記第2のイベント測定レポートから、ハンドオーバを実行するために最も良い信号品質の2G/3Gセルを、選択するステップを含む。
【００１０】
任意に、測定制御メッセージを前記UEに前記送信するステップは、
第1の測定制御メッセージを前記UEへ送信するステップであって、前記第1の測定制御メッセージは、カレントLTEセルの信号品質を測定するとともに第1のイベント測定レポートを送信するように前記UEに命令するために使用される、ステップ、を含み、
前記UEによって送信された前記イベント測定レポートの受信状態に従って、ブラインドハンドオーバを使用することでCSFBハンドオーバを完了すること、または、測定ベースハンドオーバを使用することでCSFBハンドオーバを完了すること、を前記eNBによって、選択するステップは、
前記第1のイベント測定レポートが所定時間以内に受信されたか否かを判断するステップと、
前記第1のイベント測定レポートが所定時間以内に受信された場合、前記ブラインドハンドオーバを使用することで前記CSFBハンドオーバを完了することを選択するステップと、
前記第1のイベント測定レポートが所定時間以内に受信されなかった場合、前記測定ベースハンドオーバを使用することで前記CSFBハンドオーバを完了することを選択するステップと、を含む。
【００１１】
さらに、前記CSFBハンドオーバを完了するために、前記測定ベースハンドオーバが選択された場合、前記方法は、さらに、
前記eNBが前記第1のイベント測定レポートを前記所定時間以内に受信しなかったとき、前記eNBによって、前記第2の測定制御メッセージを前記UEへ、送信するステップであって、前記第2の測定制御メッセージは、前記カレントLTEセルと該カレントLTEセルの2G/3G隣接セルの信号品質を測定するとともに第2のイベント測定レポートを送信するように前記UEに命令するために使用される、ステップと、
前記第2のイベント測定レポートを受信するステップとを含み、
前記測定ベースハンドオーバを使用することで前記CSFBハンドオーバを完了するステップは、
前記第2のイベント測定レポートから、ハンドオーバを実行するために最も良い信号品質の2G/3Gセルを、選択するステップを含む。
【００１２】
具体的には、ブラインドハンドオーバを使用することでCSFBハンドオーバを完了することを前記選択するステップは、
前記カレントLTEセルの予め設定されたブラインドハンドオーバ隣接セルへ直接に前記UEをハンドオーバするステップを含む。
【００１３】
他の態様では、本発明の実施形態は、CSFBハンドオーバ装置を提供し、前記装置は、
CSFB表示を受信するように構成された、第1の受信モジュールであって、前記CSFB表示は、CSサービスを実行するためにUEがLTEセルから2G/3Ｇセルへハンドオーバされることを示し、前記LTEセルと前記2G/3Ｇセルが同じサイト上に構築されている、第1の受信モジュールと、
前記第1の受信モジュールが前記CSFB表示を受信した後に、測定制御メッセージを前記UEに送信する、ように構成された、送信モジュールであって、前記測定制御メッセージは、セル信号品質を測定するとともに対応するイベント測定レポートを送信するように前記UEに命令するために使用される、送信モジュールと、
前記UEによって送信された前記イベント測定レポートを受信するように構成された、第2の受信モジュールと、
前記UEによって送信された前記イベント測定レポートの受信状態に従って、ブラインドハンドオーバを使用することでCSFBハンドオーバを完了すること、または、測定ベースハンドオーバを使用することでCSFBハンドオーバを完了すること、を選択する、ように構成された、ハンドオーバモジュールと
を備える。
【００１４】
望ましくは、前記送信モジュールは、第1の測定制御メッセージおよび第2の測定制御メッセージを前記UEに同時に送信するように構成されており、前記第1の測定制御メッセージは、カレントLTEセルの信号品質を測定するとともに第1のイベント測定レポートを送信するように前記UEに命令するために使用され、前記第2の測定制御メッセージは、前記カレントLTEセルと該カレントLTEセルの2G/3G隣接セルの信号品質を測定するとともに前記第2のイベント測定レポートを送信するように前記UEに命令するために使用され、
前記ハンドオーバモジュールは、
前記第2の受信モジュールが前記第1のイベント測定レポートを最初に受信したとき、前記ブラインドハンドオーバを使用することで前記CSFBハンドオーバを完了する、ように構成された、第1のハンドオーバユニットと、
前記第2の受信モジュールが前記第2のイベント測定レポートを最初に受信したとき、前記測定ベースハンドオーバを使用することで前記CSFBハンドオーバを完了する、ように構成された、第2のハンドオーバユニットと
を備える。
【００１５】
さらに、前記第1のハンドオーバユニットは、前記第2の受信モジュールが前記第1のイベント測定レポートを最初に受信したとき、前記カレントLTEセルの予め設定されたブラインドハンドオーバ隣接セルへ直接に前記UEをハンドオーバする、ように構成されている。
【００１６】
さらに、前記第2のハンドオーバユニットは、前記第2の受信モジュールが前記第2のイベント測定レポートを最初に受信したとき、前記第2のイベント測定レポートから、ハンドオーバを実行するために最も良い信号品質の2G/3Gセルを、選択する、ように構成されている。
【００１７】
任意に、前記送信モジュールは、第1の測定制御メッセージを前記UEへ送信するように構成されており、前記第1の測定制御メッセージは、カレントLTEセルの信号品質を測定するとともに第1のイベント測定レポートを送信するように前記UEに命令するために使用され、
前記ハンドオーバモジュールは、
前記第2の受信モジュールが所定時間以内に前記第1のイベント測定レポートを受信したか否かを判断するように構成された判断ユニットと、
前記第2の受信モジュールが所定時間以内に前記第1のイベント測定レポートを受信した、と前記判断ユニットが判断したとき、前記ブラインドハンドオーバを使用することで前記CSFBハンドオーバを完了することを選択する、ように構成された、第3のハンドオーバユニットと、
前記第2の受信モジュールが所定時間以内に前記第1のイベント測定レポートを受信しなかった、と前記判断ユニットが判断したとき、前記測定ベースハンドオーバを使用することで前記CSFBハンドオーバを完了することを選択する、ように構成された、第4のハンドオーバユニットと
を備える。
【００１８】
具体的には、前記第3のハンドオーバユニットは、前記カレントLTEセルの予め設定されたブラインドハンドオーバ隣接セルへ直接に前記UEをハンドオーバするように構成されている。
【００１９】
さらに、前記送信モジュールは、前記第2の受信モジュールが所定時間以内に前記第1のイベント測定レポートを受信しなかった、と前記判断ユニットが判断したとき、第2の測定制御メッセージを前記UEへ送信するように、さらに、構成されており、前記第2の測定制御メッセージは、前記カレントLTEセルと該カレントLTEセルの2G/3G隣接セルの信号品質を測定するとともに第2のイベント測定レポートを送信するように前記UEに命令するために使用され、
前記第4のハンドオーバユニットは、ハンドオーバを実行するために最も良い信号品質の2G/3Gセルを、前記第2のイベント測定レポートから選択するように構成されている。
【００２０】
さらに他の態様では、本発明の実施形態は、さらに、基地局を提供し、前記基地局は、
UEによって送信されたイベント測定レポートおよびCSFB表示を受信する、ように構成された受信機であって、前記CSFB表示は、回線交換CSサービスを実行するために前記ユーザ装置がLTEセルから2G/3Ｇセルへハンドオーバされることを示し、前記LTEセルをサービスしている基地局のサイトが前記2G/3Ｇセルをサービスしている基地局のサイトと同じである、受信機と、
測定制御メッセージを送信するように構成された送信機と、
前記受信機が前記CSFB表示を受信したとき、前記UEへ前記測定制御メッセージを送信させるように前記送信機を制御し、前記受信機によって、受信した状態と、前記UEによって送信された前記イベント測定レポートと、に従って、ブラインドハンドオーバを使用することでCSFBハンドオーバを完了することを選択する、または、測定ベースハンドオーバを使用することでCSFBハンドオーバを完了することを選択する、ように構成されたプロセッサであって、前記測定制御メッセージは、セル信号品質を測定するとともに対応するイベント測定レポートを送信するように前記UEに命令するために使用される、プロセッサと
を備える。
【００２１】
望ましくは、前記プロセッサは、
第1の測定制御メッセージおよび第2の測定制御メッセージを同時に前記ユーザ装置へ送信させるように前記送信機を制御し、ここで、前記第1の測定制御メッセージは、カレントLTEセルの信号品質を測定するとともに第1のイベント測定レポートを送信するように前記ユーザ装置に命令するために使用され、前記第2の測定制御メッセージは、前記カレントLTEセルと該カレントLTEセルの2G/3G隣接セルの信号品質を測定するとともに第2のイベント測定レポートを送信するように前記ユーザ装置に命令するために使用され、
最初に前記第1のイベント測定レポートが受信された場合、前記ブラインドハンドオーバを使用することによって前記CSFBハンドオーバを完了することを選択し、最初に前記第2のイベント測定レポートが受信された場合、前記測定ベースハンドオーバを使用することによって前記CSFBハンドオーバを完了することを選択する、
ように構成されている。
【００２２】
望ましくは、前記プロセッサは、
前記第1の測定制御メッセージを前記ユーザ装置へ送信させるように前記送信機を制御し、ここで、前記第1の測定制御メッセージは、カレントLTEセルの信号品質を測定するとともに第1のイベント測定レポートを送信するように前記ユーザ装置に命令するために使用され、
前記第1のイベント測定レポートが所定時間以内に受信されたか否かを判断し、前記第1のイベント測定レポートが所定時間以内に受信された場合、前記ブラインドハンドオーバを使用することによって前記CSFBハンドオーバを完了することを選択し、前記第1のイベント測定レポートが前記所定時間以内に受信されなかった場合、前記測定ベースハンドオーバを使用することによって前記CSFBハンドオーバを完了することを選択する、
ように構成されている。
【００２３】
本発明の前記実施形態によって提供される技術的解決手段は、下記の有益な効果をもたらす。
【００２４】
本発明の実施形態では、LTEセルの2G/3G隣接セルに前記UEをハンドオーバするために、CSFB表示を受信した後、eNBは、測定制御メッセージをUEに送信し、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。
【００２５】
本発明の実施形態における技術的解決手段をより明確に説明するために、実施形態を説明するために必要な添付図面を以下で簡単に紹介する。以下の記述における添付の図面は本発明の単なる実施形態のいくつかを示しており、当業者は創造的努力なしにこれらの添付図面から他の図面を導き出し得る。
【図面の簡単な説明】
【００２６】
【図１】本発明の実施形態のアプリケーションシナリオの概要図である。
【図２】本発明の実施形態１に係るCSFBハンドオーバ方法のフローチャートである。
【図３】本発明の実施形態２に係るCSFBハンドオーバ方法のフローチャートである。
【図４】本発明の実施形態３に係るCSFBハンドオーバ方法のフローチャートである。
【図５】本発明の実施形態４に係るCSFBハンドオーバ装置の概要構成図である。
【図６ａ】本発明の実施形態５に係るCSFBハンドオーバ装置の概要構成図である。
【図６ｂ】本発明の実施形態５に係る判断モジュールの概要構成図である。
【図７ａ】本発明の実施形態６に係るCSFBハンドオーバ装置の概要構成図である。
【図７ｂ】本発明の実施形態６に係る判断モジュールの概要構成図である。
【図８】本発明の実施形態７に係る基地局の概要構成図である。
【発明を実施するための形態】
【００２７】
本発明の目的、技術的解決手段、および効果をより明確にするために、添付図面を参照して詳細に、本発明の実施形態を以下でさらに説明する。
【００２８】
本発明をより理解し易くするために、第1に、本発明の実施形態のアプリケーションシナリオが簡素に説明される。本発明の実施形態は、LTEセルと2G/3Gセルとが同じサイト上に構築されるシナリオに適用可能である。
【００２９】
特に、LTEセルと2G/3Gセルとが同じサイト上に構築されるケースは、少なくとも下記のケースを含む。１．LTEセル、GSMセル、およびUMTSセルが同じサイト上に構築される。２．LTEセルおよびGSMセルが同じサイト上に構築される。３．LTEセルおよびUMTSセルが同じサイト上に構築される。４．LTEセルおよびCDMA2000(Code Division Multiple Access 2000、符号分割多重アクセス2000)セルが同じ再度で構築される。
【００３０】
本発明の実施形態のアプリケーションシナリオが、一つの実施形態として、上記の３つのケースを使用することによって、以下で詳細に説明される。
【００３１】
トラフィック・ホットスポット領域における非常に高密度のカバー領域である、都市地域における連続したカバー領域について、UMTS 2100を使用することで、オペレータが実行する。LTEの構築初期の間、前記オペレータは、LTE 2600またはLTE 1800を使用することによって前記トラフィック・ホットスポット領域をカバーしている。LTEセルおよびUMTSセルは、同じサイト上で構築され得るものであり、または、前記LTEセルをサービスする基地局のサイトは、前記2G/3Gセルをサービスする基地局のサイトと同一である。
【００３２】
前記LTEセルのサイズと前記UMTSのサイズの比は、厳密な１：１ではなく、LTEセルは連続していないものとなり得る。図１に示すように、点線ボックスはLTEセルを表しており、線ボックスはUMTSセルを表している。UMTSセルのカバー領域が該UMTSセルと同じサイト上で構築されたLTEセルのカバー領域よりも大きい、ことが図１から見ることができる。図1における点線ボックスおよび線ボックスの非オーパーラップ領域12（すなわち、基地局10から遠く離れた点線ボックス内の領域）内にUEが位置しているとき、UEがCSサービスを利用する必要がある場合、従来技術を使用することによって、予め設定されたブラインドハンドオーバ隣接セルに、前記UEは直接にハンドオーバされ、ハンドオーバ失敗が生じることによって、前記UEは前記CSサービスを利用できない。これについて考慮すると、本発明の実施形態は、上記問題点を解決するとともにCSFBハンドオーバ成功率を高めるために、UEが現在位置しているLTEセルの信号品質に従ってハンドオーバ方法を選択するための解決手段を提供する。以下では、具体的な実施形態を使用して本発明を詳細に説明する。
実施形態１
【００３３】
本発明の実施形態は、CSFBハンドオーバ方法を提供する。図２に示されているように、前記方法は、下記のステップを含む。
【００３４】
ステップ101:  NBがCSFB表示を受信し、前記CSFB表示は、CSサービスを実行するためにUEがLTEセルから2G/3Ｇセルへハンドオーバされることを示し、前記LTEセルをサービスする基地局のサイトが前記2G/3Ｇセルをサービスする基地局のサイトと同一であるか、または、前記LTEセルおよび前記2G/3Ｇセルが同じサイト上に構築される。
【００３５】
本発明のこの実施形態は、前記LTEセルをサービスする基地局のサイトが前記2G/3Ｇセル手段をサービスする基地局のサイトと同一であり、前記LTEセルをサービスする基地局と前記2G/3Ｇセルをサービスする基地局とが同じ位置にあり、例えば、あるいは、同一の基地局が前記LTEセルおよび前記2G/3Ｇセルをサービスし得る、ことが容易に理解でき、前記基地局がデュアルモード基地局/マルチモード基地局であり得る。さらに、本発明の各実施形態では、いわゆる「2G/3Gセル」は、「2Gセル」および/または「3Gセル」を示す。
【００３６】
具体的には、前記CSFB表示は、MME(Mobility Management Entity、移動管理エンティティ)によって、前記eNBへ送信され得る。
【００３７】
ステップ102:  前記CSFB表示を受信した後、前記eNBは、測定制御メッセージを前記UEに送信し、前記測定制御メッセージは、セル信号品質を測定するとともに対応するイベント測定レポートを送信するように前記UEに命令するために使用される。
【００３８】
ステップ103:  前記UEによって送信された前記イベント測定レポートの受信ステータスに従って、前記eNBは、ブラインドハンドオーバを使用することによってCSFBハンドオーバを完了すること、または、測定ベースハンドオーバを使用することによってCSFBハンドオーバを完了すること、を選択する。
【００３９】
具体的には、前記ブラインドハンドオーバを使用することによって前記CSFBハンドオーバを完了することは、カレントLTEセルの予め設定されたブラインドハンドオーバ隣接セルへ直接に前記UEをハンドオーバするステップ、を含む。前記ブラインドハンドオーバ隣接セルは、2G/3Gセルであり、GSMまたはUMTSまたはCDMA2000セルを含むが、これに限定されない。
【００４０】
具体的には、測定ベースハンドオーバは、カレントLTEセルの2G/3G隣接セルの信号品質が第1に測定され、次いで、前記2G/3G隣接セルの前記測定された信号品質に従ってハンドオーバが開始される、こと示す。前記2G/3G隣接セルは、GSMまたはUMTSまたはCDMA2000隣接セルを含むがこれに限定されない。
【００４１】
前記2G/3G隣接セルの前記信号品質についての前記測定は、実際のネットワーク構築状態に従って実行される。前記LTEセルおよびネットワークセルが同じサイト上に構築されるとき、CSサービスを実行するために前記LTEセルと同じサイト上に構築された2G/3Gセルに前記UEをハンドオーバするために、前記UEは、前記ネットワークセルの信号品質を測定するように命令される。
【００４２】
本発明のこの実施形態では、LTEセルの2G/3G隣接セルに前記UEをハンドオーバするために、CSFB表示を受信した後、eNBは、測定制御メッセージを前記UEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。
実施形態２
【００４３】
本発明の実施形態として、LTEセルおよびUMTSセルが同じサイト上に構築されるとともに、CSサービスを実行するためにUEがLTEシステムからUMTSネットワークにハンドオーバされる、ことを実施例とすることによって、本発明のこの実施形態に係るCSFBハンドオーバ方法を説明する。図３に示されているように、前記方法は、下記のステップを含む。
【００４４】
ステップ201:  eNBがMMEからCSFB表示を受信する。
【００４５】
前記CSFB表示は、CSサービスを実行するためにUEがLTEセルから2G/3Ｇセルへハンドオーバされることを示す。
【００４６】
ステップ202:  前記eNBは、第1の測定制御メッセージおよび第2の測定制御メッセージを同時に前記UEへ送信し、ここで、前記第1の測定制御メッセージは、カレントLTEセルの信号品質を測定するとともに第1のイベント測定レポートを送信するように前記UEに命令するために使用され、前記第2の測定制御メッセージは、前記カレントLTEセルと該カレントLTEセルのUMTS隣接セルとの信号品質を測定するとともに第2のイベント測定レポートを送信するように前記UEに命令するために使用される。
【００４７】
具体的には、前記第1の測定制御メッセージを受信するとき（実際のアプリケーションでは、前記第1の測定制御メッセージは、A1測定制御メッセージのように呼ばれ得る）、前記UEは、該UEが現在位置しているLTEセルの信号品質を測定し、前記LTEセルの前記測定された信号品質を前記Ａ１測定制御メッセージ内の閾値と比較し、前記LTEセルの前記測定された信号品質が前記Ａ１測定制御メッセージ内の前記閾値よりも高い場合、前記第1のイベント測定レポート（実際のアプリケーションでは、前記第1のイベント測定レポートは、A1イベント測定レポートのように呼ばれ得る）を前記eNBに送信し、前記第1のイベント測定レポートは、前記UEが現在位置している前記LTEセルの前記信号品質を含む。
【００４８】
前記第2の測定制御メッセージを受信するとき（実際のアプリケーションでは、前記第2の測定制御メッセージは、B1測定制御メッセージのように呼ばれ得る）、前記UEは、該UEが現在位置している前記LTEセルの信号品質と前記UEが現在位置している前記LTEセルの2G/3G隣接セルの信号品質とを測定し、前記2G/3G隣接セルの前記測定された信号品質を前記B１測定制御メッセージ内の閾値と比較し、前記2G/3G隣接セルの前記測定された信号品質が前記B１測定制御メッセージ内の前記閾値よりも高い場合、第2のイベント測定レポート（実際のアプリケーションでは、前記第2のイベント測定レポートは、B1イベント測定レポートのように呼ばれ得る）を前記eNBに送信し、前記第2のイベント測定レポートは、前記UEが現在位置している前記LTEセルの前記信号品質と、前記LTEセルの前記2G/3G隣接セルの前記信号品質とを含む。
【００４９】
ステップ203:  前記第1のイベント測定レポートが最初に受信された場合、ステップ204を実行し、前記第2のイベント測定レポートが最初に受信された場合、ステップ205を実行する。
【００５０】
このステップでは、前記eNBがイベント測定レポートを受信する。前記LTEセルおよび前記UMTSセルが同じサイト上に構築されるケースでは、前記第1のイベント測定レポートが最初に受信された場合、前記LTEセルの前記信号信号品質がある程度良い、ことを示し、前記第2のイベント測定レポートが最初に受信された場合、前記LTEセルの前記信号信号品質がある程度良くない、ことを示す。前記UEのカレントサービングセルが前記LTEセルであるので、前記LTEセルの信号品質が良い前記ケースでは、前記第1のイベント測定レポートが前記第2のイベント測定レポートよりも先に受信される。したがって、前記2G/3Gセルに対応する前記第2のイベント測定レポートが最初に受信された場合、前記LTEセルの前記信号品質が良くないことを示す。
【００５１】
加えて、前記LTEセルの前記信号品質が良い場合、前記UEが前記eNBにより近いことを示す。前記LTEセルおよび前記UMTSセルが同じサイト上に構築されており、図１から理解できるように、前記eNBにより近い位置に、前記LTEセルおよび前記UMTSセルのオーバーラップ領域があるので、このケースでは、ブラインドハンドオーバが直接に実行され得る（ステップ204）。前記LTEセルの信号品質が良くない場合、前記UEが前記eNBから遠いことを示す。図１から理解できるように、このケースでは、前記UEは、前記LTEのカバー領域内に位置され得るが、前記LTEセルと同じサイト上に構築されたUMTSセルのカバー領域を越えた領域（すなわち、図１における符号12で示された領域）内にある。ブラインドハンドオーバがこのケースで使用される場合、ハンドオーバ失敗が生じ得る。したがって、このケースでは、CSFBハンドオーバの成功を確実にするために、測定ベースハンドオーバが使用され（ステップ205）、ターゲットハンドオーバセル（前記ターゲットハンドオーバセルは、前記カレントLTEセルとサイトを共用しない2G/3Gセルであり得る）は、前記第2のイベント測定レポートに従って選択される。
【００５２】
ステップ204:  ブラインドハンドオーバを使用することによってCSFBハンドオーバを完了する。
【００５３】
具体的には、ステップ204は下記のステップを含む。前記UEが現在位置している前記LTEセルの予め設定されたUMTSブラインドハンドオーバ隣接セルへ直接に前記UEをハンドオーバするステップ。
【００５４】
具体的な実装形態では、ステップ204は下記のステップを含む。
前記eNBによって、ハンドオーバ命令を前記UEへ送信するステップであって、前記ハンドオーバ命令は、前記カレントLTEセルのUMTSブラインドハンドオーバ隣接セルを含む、ステップ。
【００５５】
ステップ205:  測定ベースハンドオーバを使用することによってCSFBハンドオーバを完了する。
【００５６】
具体的には、ステップ205は下記のステップを含む。
ハンドオーバを実行するために最も良い信号品質のUMTSセルを、前記第2のイベント測定レポートから選択するステップ。
【００５７】
より具体的には、ステップ205は下記のステップを含む。
前記eNBによって、ハンドオーバ命令を前記UEへ送信するステップであって、前記ハンドオーバ命令は、ターゲットUMTSセルを含む、すなわち、上記の第2のイベント測定レポートにおける最も良い信号品質のセルを含む、ステップ。
【００５８】
上記ステップ203-205を実行することによって、前記UEによって送信された前記イベント測定レポートの受信状態に従って、前記ブラインドハンドオーバを使用することで前記CSFBハンドオーバを完了することを選択する、または、前記測定ベースハンドオーバを使用することで前記CSFBハンドオーバを完了することを選択する。
【００５９】
本発明のこの実施形態では、LTEセルの2G/3G隣接セルに前記UEをハンドオーバするために、CSFB表示を受信した後、eNBは、測定制御メッセージを前記UEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。加えて、本発明のこの実施形態では、第1の測定制御メッセージと第2の測定制御メッセージとが同時に送信されるとともに、ハンドオーバ方法は第1のイベント測定レポートと第2のイベント測定レポートとが受信される順番に従って選択され、できるだけブラインドハンドオーバが使用されることを確実にするとともに、前記ブラインドハンドオーバが使用されるときに、2G/3Gセルの信号品質を測定するための時間を削減することができ、その結果、ボイスサービスセットアップ遅延を短くする。
実施形態３
【００６０】
本発明の実施形態として、また、LTEセルおよびUMTSセルが同じサイト上に構築されるとともに、CSサービスを実行するためにUEがLTEシステムからUMTSネットワークにハンドオーバされる、ことを実施例とすることによって、本発明のこの実施形態に係るCSFBハンドオーバ方法を説明する。図４に示されているように、前記方法は下記のステップを含む。
【００６１】
ステップ301:  eNBは、MMEからCSFB表示を受信する。
【００６２】
前記CSFB表示は、CSサービスを実行するためにUEがLTEセルから2G/3Ｇセルへハンドオーバされることを示す。
【００６３】
ステップ302:  第1の測定制御メッセージを前記UEへ送信し、ここで、前記第1の測定制御メッセージは、カレントLTEセルの信号品質を測定するとともに第1のイベント測定レポートを送信するように前記UEに命令するために使用される。
【００６４】
ステップ303:  前記UEによって送信された前記第1のイベント測定レポートが所定時間以内に受信されたか否か判断し、所定時間以内に受信された場合、ステップ304を実行し、所定時間以内に受信されなかった場合、ステップ305を実行する。
【００６５】
ステップ304:  ブラインドハンドオーバを使用することによってCSFBハンドオーバを完了する。
【００６６】
具体的には、ブラインドハンドオーバを使用することによってCSFBハンドオーバを完了するステップは下記のステップを含む。前記カレントLTEセルの予め設定されたUMTSブラインドハンドオーバ隣接セルへ直接に前記UEをハンドオーバするステップ。
【００６７】
ステップ305:  第2の測定制御メッセージを前記UEへ送信し、ここで、前記第2の測定制御メッセージは、前記カレントLTEセルと該カレントLTEセルの前記UMTS隣接セルの信号品質を測定するとともに第2のイベント測定レポートを送信するように前記UEに命令するために使用される。
【００６８】
ステップ306:  前記UEによって送信された前記第2のイベント測定レポートを受信する。
【００６９】
ステップ307:  測定ベースハンドオーバを使用することによってCSFBハンドオーバを完了する。
【００７０】
具体的には、ステップ307は下記のステップを含む。ハンドオーバを実行するために最も良い信号品質のUMTSセルを、前記第2のイベント測定レポートから選択するステップ。
【００７１】
本発明のこの実施形態では、LTEセルの2G/3G隣接セルに前記UEをハンドオーバするために、CSFB表示を受信した後、eNBは、測定制御メッセージを前記UEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。
実施形態４
【００７２】
本発明の実施形態４は、CSFBハンドオーバ装置を提供するとともに、実施形態１によって提供された前記方法に適用可能である。図５に示されているように、前記装置は、
CSFB表示を受信するように構成された第1の受信モジュール401であって、前記CSFB表示は、CSサービスを実行するためにUEがLTEセルから2G/3Ｇセルへハンドオーバされることを示し、前記LTEセルおよび前記2G/3Ｇセルが同じサイト上に構築される、第1の受信モジュール401と、
前記受信モジュール401が前記CSFB表示を受信した後に、測定制御メッセージを前記UEに送信するように構成される送信モジュール402であって、前記測定制御メッセージは、セル信号品質を測定するとともに対応するイベント測定レポートを送信するように前記UEに命令するために使用される、送信モジュール402と、
前記UEによって送信されたイベント測定レポートを受信するように構成された第2の受信モジュール403と、
前記UEによって送信された前記イベント測定レポートの受信状態に従って、ブラインドハンドオーバを使用することでCSFBハンドオーバを完了することを選択する、または、測定ベースハンドオーバを使用することでCSFBハンドオーバを完了することを選択する、ように構成されたハンドオーバモジュール404と
を備える。
【００７３】
本発明のこの実施形態では、LTEセルの2G/3G隣接セルに前記UEをハンドオーバするために、CSFB表示を受信した後、eNBは、測定制御メッセージをUEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。
実施形態５
【００７４】
本発明の実施形態５は、CSFBハンドオーバ装置を提供するとともに、実施形態２によって提供された前記方法に適用可能である。図６に示されているように、前記装置は、
CSFB表示を受信するように構成された第1の受信モジュール501であって、前記CSFB表示は、CSサービスを実行するためにUEがLTEセルから2G/3Ｇセルへハンドオーバされることを示し、前記LTEセルおよび前記2G/3Ｇセルが同じサイト上に構築される、第1の受信モジュール501と、
前記受信モジュール501が前記CSFB表示を受信した後に、測定制御メッセージを前記UEに送信するように構成された送信モジュール502であって、前記測定制御メッセージは、セル信号品質を測定するとともに対応するイベント測定レポートを送信するように前記UEに命令するために使用される、送信モジュール502と、
前記UEによって送信されたイベント測定レポートを受信するように構成された第2の受信モジュール503と、
前記UEによって送信された前記イベント測定レポートの受信状態に従って、ブラインドハンドオーバを使用することでCSFBハンドオーバを完了することを選択する、または、測定ベースハンドオーバを使用することでCSFBハンドオーバを完了することを選択する、ように構成されたハンドオーバモジュール504と
を備える。
【００７５】
さらに、送信モジュール502は、第1の測定制御メッセージおよび第2の測定制御メッセージを同時に前記UEへ送信するように構成されており、ここで、前記第1の測定制御メッセージは、カレントLTEセルの信号品質を測定するとともに第1のイベント測定レポートを送信するように前記UEに命令するために使用され、前記第2の測定制御メッセージは、前記カレントLTEセルと該カレントLTEセルの2G/3G隣接セルとの信号品質を測定するとともに第2のイベント測定レポートを送信するように前記UEに命令するために使用される。
【００７６】
したがって、図6bに示されているように、ハンドオーバモジュール504は、
前記第2の受信モジュール503が前記第1のイベント測定レポートを最初に受信したとき、前記ブラインドハンドオーバを使用することによって前記CSFBハンドオーバを完了する、ように構成された、第1のハンドオーバユニット5041と、
前記第2の受信モジュール503が前記第2のイベント測定レポートを最初に受信したとき、前記測定ベースハンドオーバを使用することによって前記CSFBハンドオーバを完了する、ように構成された、第1のハンドオーバユニット5042と
を備える。
【００７７】
具体的には、前記第1のハンドオーバユニット5041は、前記第2の受信モジュール503が前記第1のイベント測定レポートを受信するとき、前記カレントLTEセルに対応する予め設定された2G/3Gセルへ直接に前記UEをハンドオーバする、ように構成されている。
【００７８】
具体的には、前記第2のハンドオーバユニット5042は、前記第2の受信モジュール503が前記第2のイベント測定レポートを受信するとき、  前記第2のイベント測定レポートから、ハンドオーバを実行するために最も良い信号品質の2G/3Ｇセルを選択する、ように構成されている。
【００７９】
本発明のこの実施形態では、LTEセルの2G/3G隣接セルに前記UEをハンドオーバするために、CSFB表示を受信した後、eNBは、測定制御メッセージをUEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。加えて、本発明のこの実施形態では、第1の測定制御メッセージと第2の測定制御メッセージとが同時に送信されるとともに、ハンドオーバ方法は第1のイベント測定レポートと第2のイベント測定レポートとが受信される順番に従って選択され、できるだけブラインドハンドオーバが使用されることを確実にするとともに、前記ブラインドハンドオーバが使用されるときに、2G/3Gセルの信号品質を測定するための時間を削減することができ、その結果、ボイスサービスセットアップ遅延を短くする。
実施形態６
【００８０】
本発明の実施形態６は、CSFBハンドオーバ装置を提供するとともに、実施形態３によって提供された前記方法に適用可能である。図7aに示されているように、前記装置は、
CSFB表示を受信するように構成された受信モジュール601であって、前記CSFB表示は、CSサービスを実行するためにUEがLTEセルから2G/3Ｇセルへハンドオーバされることを示し、前記LTEセルおよび前記2G/3Ｇセルが同じサイト上に構築される、受信モジュール601と、
前記受信モジュール601が前記CSFB表示を受信した後に、測定制御メッセージを前記UEに送信するように構成された送信モジュール602であって、前記測定制御メッセージは、セル信号品質を測定するとともに対応するイベント測定レポートを送信するように前記UEに命令するために使用される、送信モジュール602と、
前記UEによって送信されたイベント測定レポートを受信するように構成された第2の受信モジュール603と、
前記UEによって送信された前記イベント測定レポートの受信状態に従って、ブラインドハンドオーバを使用することでCSFBハンドオーバを完了することを選択する、または、測定ベースハンドオーバを使用することでCSFBハンドオーバを完了することを選択する、ように構成されたハンドオーバモジュール604と
を備える。
【００８１】
具体的には、前記送信モジュール602は、
第1の測定制御メッセージを前記UEへ送信するように構成されており、ここで、前記第1の測定制御メッセージは、カレントLTEセルの信号品質を測定するとともに第1のイベント測定レポートを送信するように前記UEに命令するために使用される。
【００８２】
したがって、前記ハンドオーバモジュール604は、
前記第2の受信モジュール603が所定時間以内に前記第1のイベント測定レポートを受信したか否かを判断するように構成された判断ユニット6041と、
前記判断ユニット6041の判断結果がイエスのとき、前記ブラインドハンドオーバを使用することで前記CSFBハンドオーバを完了することを選択する、ように構成された第3のハンドオーバユニット6042と、
前記判断ユニット6041の判断結果がノーのとき、前記測定ベースハンドオーバを使用することで前記CSFBハンドオーバを完了することを選択する、ように構成された第4のハンドオーバユニット6043と
を備える。
【００８３】
さらに、前記第3のハンドオーバユニット6042は、前記カレントLTEセルの予め設定されたブラインドハンドオーバ隣接セルへ直接に前記UEをハンドオーバするように構成されている。
【００８４】
さらに、前記送信モジュール602は、前記判断ユニット6041の判断結果がノーのとき、前記UEへ第2の測定制御メッセージを送信するようにさらに構成されており、ここで、前記第2の測定制御メッセージは、前記カレントLTEセルと該カレントLTEセルの前記2G/3G隣接セルの信号品質を測定するとともに第2のイベント測定レポートを送信するように前記UEに命令するために使用される。
【００８５】
したがって、前記第4のハンドオーバユニット6043は、ハンドオーバを実行するために最も良い信号品質の2G/3Gセルを、前記第2のイベント測定レポートから選択するように構成されている。
【００８６】
本発明のこの実施形態では、LTEセルの2G/3G隣接セルに前記UEをハンドオーバするために、CSFB表示を受信した後、eNBは、測定制御メッセージを前記UEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。
【００８７】
本発明の実施形態４、実施形態５および実施形態６に係る前記CSFBハンドオーバ装置は、基地局（例えば、eNB）であり得る、ことに留意すべきである。
実施形態７
【００８８】
本発明のこの実施形態は、基地局を提供する。図８に示されているように、前記基地局は、送信機71と、受信機72と、少なくとも１つのプロセッサ74（例えば、CPU）を備える。
【００８９】
図８を参照して、基地局70の各構成要素について以下で具体的に説明する。
【００９０】
受信機72は、CSFB表示を受信するとともに、UEによって送信された第1のイベント測定レポートおよび第2のイベント測定レポートを受信する、ように構成されており、前記送信機72は、前記プロセッサ74に制御されて、第1の測定制御メッセージと第2の測定制御メッセージとハンドオーバ命令とを前記UEへ送信するように構成されている。
【００９１】
具体的には、メモリに格納されたソフトウェアプログラムおよび／またはアプリケーションモジュールを走らせるまたは実行させるとともに、前記メモリに格納されたデータを呼び出すことによって、前記プロセッサは、下記のステップを実行し得る。CSFB表示を受信したとき、前記受信機72は、前記送信機71を制御して測定制御メッセージを送信させ、前記測定制御メッセージは、セル信号品質を測定するとともに対応するイベント測定レポートを送信するように前記UEに命令するために使用され、前記UEによって送信された前記イベント測定レポートと、前記受信機72によって、受信した状態と、に従って、ブラインドハンドオーバを使用することでCSFBハンドオーバを完了することを選択する、または、測定ベースハンドオーバを使用することでCSFBハンドオーバを完了することを選択する。
【００９２】
望ましくは、前記プロセッサ74は、測定制御メッセージを前記UEへ送信させるように前記送信機71を制御し、該制御は、
前記プロセッサ74が前記第1の測定制御メッセージおよび前記第2の測定制御メッセージを同時に前記UEへ送信させるように前記送信機71を制御するステップであって、ここで、前記第1の測定制御メッセージは、カレントLTEセルの信号品質を測定するとともに第1のイベント測定レポートを送信するように前記UEに命令するために使用され、前記第2の測定制御メッセージは、前記カレントLTEセルと該カレントLTEセルのUMTS隣接セルの信号品質を測定するとともに前記第2のイベント測定レポートを送信するように前記UEに命令するために使用されるステップと、
前記プロセッサ74が、前記受信機72を使用することによって、前記第1のイベント測定レポートおよび／または前記第2のイベント測定レポートを受信するステップと、最初に前記第1のイベント測定レポートを受信した場合、前記送信機71を使用することによって、ブラインドハンドオーバを始動する（すなわち、前記ブラインドハンドオーバを使用することによって前記CSFBハンドオーバを完了することを選択する）ステップと、最初に前記第2のイベント測定レポートを受信した場合、前記送信機71を使用することによって、測定ベースハンドオーバを始動する（すなわち、前記測定ベースハンドオーバを使用することによって前記CSFBハンドオーバを完了することを選択する）ステップと
を含む。
【００９３】
任意に、前記プロセッサ74は、測定制御メッセージを前記UEへ送信させるように前記送信機71を制御し、前記制御は、
前記プロセッサ74が前記第1の測定制御メッセージを送信させるように前記送信機71を制御するステップと、前記受信機72を使用することによって、前記UEによって送信された前記第1のイベント測定レポートを、受信するステップと、前記UEによって送信された前記第1のイベント測定レポートを、所定時間以内に、前記受信機72が受信したか否かを判断するステップと、前記UEによって送信された前記第1のイベント測定レポートが前記所定時間以内に受信された場合、前記送信機71を使用することによって前記ブラインドハンドオーバを始動するステップと、前記UEによって送信された前記第1のイベント測定レポートが前記所定時間以内に受信されなかった場合、前記送信機71を使用することによって前記測定ベースハンドオーバを始動するステップと、を含む。
【００９４】
さらに、前記測定ベースハンドオーバが選択された場合、プロセッサ74は、前記第2の測定制御メッセージを前記UEへ送信させるように前記送信機71を制御し、ここで、前記第2の測定制御メッセージは、前記カレントLTEセルと該カレントLTEセルの2G/3G隣接セルの信号品質を測定するとともに第2のイベント測定レポートを送信するように前記UEに命令するために使用され、前記受信機72を使用することによって、前記第2のイベント測定レポートを受信する。次いで、前記プロセッサ74は、前記第2のイベント測定レポートから、最も良い信号品質の2G/3Gセルを、選択し、前記送信機71を使用することによって前記測定ベースハンドオーバを始動する。
【００９５】
基地局70が例えばメモリ73および通信バス75などの一部分をさらに備え得る、ことは容易に知得される。
【００９６】
メモリ73は、ソフトウェアプログラムおよびアプリケーションモジュールを格納するように構成され得るとともに、プロセッサ74は、前記基地局70の各種の機能アプリケーションおよびデータ処理実行するために、前記メモリ73に格納された前記ソフトウェアプログラムおよび／または前記アプリケーションモジュールを実行する。前記メモリ73は、プログラム記憶領域およびデータ記憶領域を主に含み得るとともに、前記プログラム記憶領域は、オペレーティングシステムと、機能により必要とされる少なくとも１つのアプリケーションプログラムと、その他とを記憶し得るとともに、前記データ記憶領域は、前記基地局70の使用に従って、作成されたデータ、およびその他を記憶し得る。さらに、メモリ73は、高速RAM（Random Access Memory、ランダムアクセスメモリ）含む得るとともに、例えば、少なくとも１つの磁気ディスク記憶デバイス、フラッシュメモリデバイスなどの持久記憶装置（non-volatile memory）、または他の揮発性ソリッドステート記憶デバイス、をさらに含み得る。
【００９７】
前記通信バス75は、前記プロセッサ74と、前記メモリ73と、前記送信機71と、前記受信機72との間の通信接続を実行するように構成されている。
【００９８】
図8に示された構成が前記基地局について限定する構成要素ではなく、前記基地局は、図8に示された構成よりも多くのまたはより少ない部分を含み得る、または、いくつかの構成要素の組合せ、または、図8で示されたものとは異なる態様の構成要素の一部であり得る、ことが当業者は理解できる。
【００９９】
本発明のこの実施形態では、LTEセルの2G/3G隣接セルに前記UEをハンドオーバするために、CSFB表示を受信した後、eNBは、測定制御メッセージを前記UEに送信するとともに、前記UEによって送信されたイベント測定レポートに従ってハンドオーバ方法を選択する。これは、UEが2G/3Gセルのカバー領域を越えたLTEセル内に位置しているとき、従来技術における、ブラインドハンドオーバによって生じるCSFB失敗の現象を予防することができ、その結果、ハンドオーバ成功率が高くなる。
【０１００】
上記実施形態によって提供された前記CSFBハンドオーバ装置がCSFBハンドオーバを実行するとき、前記機能モジュールの前記区分は一例としてのみ使用される、ことに留意すべきである。実際のアプリケーションにおいて、上記機能は、必要に応じて異なる機能モジュールに実装されるように割り当てられることができ、すなわち、前記装置の内部構造は、上記機能の全てまたはいくつかを実行するための異なる機能モジュールに分割される。さらに、上記実施形態によって提供された前記CSFBハンドオーバ装置と前記CSFBハンドオーバ方法の前記実施形態とは、同じアイデアに基づくものである。前記CSFBハンドオーバ装置の具体的な実施形態プロセスについて、前記実施形態の方法が引用され、ここでは更なる記載はされない。
【０１０１】
本発明の上記実施形態の順序番号は、説明の容易さのみのためであり、前記実施形態の優位性または劣性を示すものではない。
【０１０２】
前記実施形態の全部または一部のステップがハードウェアまたはプログラム命令関連ハードウェアに実装され得る、ことを当業者は理解し得る。前記プログラムは、コンピュータ読取可能記憶媒体に保存され得る。前記記憶媒体は、リードオンリーメモリ、磁気ディスク、または光ディスクを含む得る。
【０１０３】
上記の説明は、本発明の単なる例としての実施形態であるが、本発明を限定することを意図していない。本発明の趣旨および本質から逸脱しない、いなかる変更、等価物への置換、および改良は、本発明の保護範囲内に含まれる。
【符号の説明】
【０１０４】
10  基地局
12  非オーパーラップ領域
401  第1の受信モジュール
402  送信モジュール
403  第2の受信モジュール
404  ハンドオーバモジュール
501  第1の受信モジュール
502  送信モジュール
503  第2の受信モジュール
504  ハンドオーバモジュール
5041  第1のハンドオーバユニット
5042  第1のハンドオーバユニット
601  第1の受信モジュール
602  送信モジュール
603  第2の受信モジュール
604  ハンドオーバモジュール
6041  判断ユニット
6042  第3のハンドオーバユニット
6043  第４のハンドオーバユニット
71  送信機
72  受信機
73  メモリ
74  プロセッサ
75  通信バス
【図１】
0005994195.tif 000002
【図２】
0005994195.tif 000003
【図３】
0005994195.tif 000004
【図４】
0005994195.tif 000005
【図５】
0005994195.tif 000006
【図６ａ】
0005994195.tif 000007
【図６ｂ】
0005994195.tif 000008
【図７ａ】
0005994195.tif 000009
【図７ｂ】
0005994195.tif 000010
【図８】
0005994195.tif 000011